(57)【要約】【課題】小型化したメインシャーシと電池収納部で筐体の剛性を持たせる構成においても、グリップ部のねじり及び折り曲げに強い撮像装置を提供する。【解決手段】レンズが装着されるマウント５０８が取り付けられ、レンズからの光を反射するミラー５１２を収容するミラーボックス５１１と、グリップ部５１３内に設けられた電池収納部７００と、ミラーボックス５１１及び電池収納部７００が締結されるシャーシ３００とを備えた撮像装置１であって、シャーシ３００は、ミラーボックス５１１が締結される第１の面３０１ａと、電池収納部７００が締結される第２の面３０２ａを有し、第１の面３０１ａと第２の面３０２ａとの間に複数の屈曲部（３０３ａ、３０４ａ）を有する。【選択図】図８Ｂ
2009175311.tif 000002
【特許請求の範囲】
【請求項１】
レンズが装着されるマウントが取り付けられ、レンズからの光を反射するミラーを収容するミラーボックスと、グリップ部内に設けられた電池収納部と、前記ミラーボックス及び前記電池収納部が締結されるシャーシとを備えた撮像装置であって、
前記シャーシは、
前記ミラーボックスが締結される第１の面と、
前記電池収納部が締結される第２の面とを有し、
前記第１の面と前記第２の面との間に複数の屈曲部を有することを特徴とする撮像装置。
【請求項２】
前記電池収納部は、前記第１の面にも締結されていることを特徴とする請求項１に記載の撮像装置。
【請求項３】
前記屈曲部に三角ビードが形成されていることを特徴とする請求項１又は２に記載の撮像装置。
【発明の詳細な説明】
【技術分野】
【０００１】
本発明は電子撮像装置の内部構造体であるメインシャーシの形状に起因する筐体の剛性に関する。
【背景技術】
【０００２】
近年、電子撮像装置は低ランニングコストの実現及び小型軽量化が図られており、その手法の一つとして内部構造体であるメインシャーシの小型化が行なわれている。（特許文献１参照）
まず、図１０でメインシャーシを小型化した撮像装置の説明を行なう。
【０００３】
メインシャーシ３００は撮像装置の内部構造体であり、軽量化のために薄い鋼板を使用している。撮像装置は電池収納部７００、ミラーボックス５１１、グリップ部５１３を有する。
【０００４】
メインシャーシ３００はミラーボックス５１１を覆うことのできる大きさであり、ミラーボックス５１１はメインシャーシ３００に取り付けられている。メインシャーシ３００は端部７０７、７０８で電池収納部７００と締結される構造になっている。また、グリップ部５１３は電池収納部７００に締結されている。このため撮像装置は剛体であるメインシャーシ３００と電池収納部７００とで筐体剛性を待たせる構造になっている。
【特許文献１】特開２００４−３２８２１５号公報
【発明の開示】
【発明が解決しようとする課題】
【０００５】
この様に、メインシャーシと電池収納部で筐体剛性を持たせ、ミラーボックスとグリップ部の間に、メインシャーシと電池収納部の締結部を持たせた撮像装置は、レンズ鏡筒とグリップ部で撮像装置本体を保持した場合に、撮像装置本体に取り付けられるレンズ装置の重み等によって、強度を十分に確保できずに変形や破損を起こす恐れがあった。これは、グリップ部の折り曲げやねじりに対し薄い鋼板のメインシャーシと締結部にストレスがかかってしまうためである。
【０００６】
本発明は、小型軽量化のためにメインシャーシを縮小し、メインシャーシと電池収納部で筐体の剛性を持たせる構造の撮像装置であっても、グリップ部の折り曲げやねじりに対し十分な剛性を持つ筐体の撮像装置を提供する。
【課題を解決するための手段】
【０００７】
本発明の一側面としての撮像装置は、レンズが装着されるマウントが取り付けられ、レンズからの光を反射するミラーを収容するミラーボックスと、グリップ部内に設けられた電池収納部と、ミラーボックス及び電池収納部が締結されるシャーシとを備えた撮像装置であって、シャーシは、ミラーボックスが締結される第１の面と、電池収納部が締結される第２の面とを有し、第１の面と第２の面との間に複数の屈曲部を有することを特徴とする。
【０００８】
本発明の更なる目的又はその他の特徴は、以下、添付図面を参照して説明される好ましい実施例によって明らかにされるであろう。
【発明の効果】
【０００９】
以上、説明したように、本発明によれば、小型化したメインシャーシと電池収納部で筐体の剛性を持たせる構成においても、グリップ部のねじり及び折り曲げに強い撮像装置を提供できる。
【発明を実施するための最良の形態】
【００１０】
以下、添付図面を参照して、本発明の好適な実施の形態について説明する。なお、各図において、同一の部材については同一の参照番号を付し、重複する説明は省略する。
【００１１】
図１は、本実施の形態に係るデジタル一眼レフカメラの主要な電気的構成を示すブロック図である。カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、時刻計測回路１０９の計時情報やその他の情報を記憶することができる。
【００１２】
ＭＰＵ１００には、ミラー駆動回路１０１、焦点検出回路１０２、シャッタ駆動回路１０３、映像信号処理回路１０４、スイッチセンス回路１０５、測光回路１０６、ストロボ駆動回路１１３が接続されている。ストロボ駆動回路１１３により、ストロボユニット５０４の動作が制御される。また、ＬＣＤ駆動回路１０７、バッテリチェック回路１０８、時刻計測回路１０９、電力供給回路１１０、圧電素子駆動回路１１１が接続されている。これらの回路は、ＭＰＵ１００の制御により動作するものである。
【００１３】
ＭＰＵ１００は、撮影レンズユニット２００ａ内のレンズ制御回路２０１とマウント接点５０７を介して通信を行う。マウント接点５０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図１では便宜上１枚の撮影レンズ２００のみを図示しているが、実際は多数のレンズ群によって構成される。
【００１４】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００１５】
メインミラー５１２は、図１に示す撮影光軸５０に対して４５°の角度に保持された状態で、撮影レンズ２００を通過する撮影光束をペンタダハミラー２２へ導くと共に、その一部を透過させてサブミラー３０へ導く。サブミラー３０は、メインミラー５１２を透過した撮影光束を焦点検出センサユニット３１へ導く。
【００１６】
ミラー駆動回路１０１は、例えばＤＣモータとギヤトレイン等によって構成され、メインミラー５１２を、ファインダにより被写体像を観察可能とする位置と、撮影光束から待避する位置とに駆動する。メインミラー５１２が駆動すると、同時にサブミラー３０も、焦点検出センサユニット３１へ撮影光束を導く位置と、撮影光束から待避する位置とに移動する。
【００１７】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００１８】
ペンタダハミラー２２は、メインミラー５１２により反射された撮影光束を正立正像に変換反射する。撮影者はファインダ光学系を介してファインダ接眼窓５２０から被写体像を観察することができる。ペンタダハミラー２２は、撮影光束の一部を測光センサ４６へも導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００１９】
シャッタユニット（機械フォーカルプレーンシャッタ）３２は、撮影者がファインダにより被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。機械フォーカルプレーンシャッタ３２は、ＭＰＵ１００の指令を受けたシャッタ駆動回路１０３により制御される。
【００２０】
撮像ユニット４００は、主に光学ローパスフィルタ４１０、圧電部材である圧電素子４３０、撮像素子３３とがユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。撮像素子３３の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００２１】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００２２】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ５２９に表示される。また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００２３】
メモリコントローラ３８は、外部インタフェース４０から入力される画像データを外部メモリ３９に記憶し、外部メモリ３９に記憶されている画像データを外部インタフェース４０から出力する機能を有する。なお、外部インタフェース４０は、図６におけるビデオ信号出力用ジャック８４１及びＵＳＢ出力用コネクタ８０１が相当する。外部メモリ３９としては、カメラ本体に着脱可能なフラッシュメモリ等が用いられる。
【００２４】
スイッチセンス回路１０５は、各スイッチの操作状態に応じて入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。また、メイン操作ダイヤル５０３、撮影モード設定ダイヤル５０２、電源スイッチ５０１が接続されている。
【００２５】
ＬＣＤ駆動回路１０７は、ＭＰＵ１００の指示に従って、ファインダ内液晶表示装置４１を駆動する。
【００２６】
バッテリチェック回路１０８は、ＭＰＵ１００の指示に従って、バッテリチェックを行い、その検出結果をＭＰＵ１００に送信する。電源４２は、カメラの各要素に対して電源を供給する。
【００２７】
時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
【００２８】
図２および図３は本実施の形態に係るデジタル一眼レフカメラの外観を示す図である。
【００２９】
図２及び図３は、第１の実施形態のデジタル一眼レフカメラの外観を示す図である。具体的には、図２はカメラ前面側より見た斜視図であって、撮影レンズユニットを外した状態を示している。図３は、カメラを撮影者側（背面側）から見た斜視図である。
【００３０】
図２において１はカメラ本体であり、撮影時に使用者がカメラを安定して握り易いように前方に突出したグリップ部５１３が設けられている。
【００３１】
５０１はカメラの電源スイッチであり、電源スイッチ５０１の操作により、カメラの動作を起動もしくは停止させる。
【００３２】
５１１はカメラ筐体内に配置されたミラーボックスで、撮影レンズを通過した撮影光束はここへ導かれる。ミラーボックス５１１の内部には、メインミラー５１２が収容されている。メインミラー５１２は、撮影光束をペンタダハミラー２２（図１参照）の方向へ導くために撮影光軸に対して４５°の角度に保持される状態と、撮像素子３３（図１参照）の方向へ導くために撮影光束から退避した位置に保持される状態とを取り得る。
【００３３】
また、カメラ上部中央には、カメラ本体に対してポップアップするカメラ内蔵型ストロボユニット５０４が設けられており、被写体に照明光を照射する。
【００３４】
カメラ前面から見て上部左寄りには、撮影者がカメラの撮影モードを設定するための撮影モード設定ダイヤル５０２が設けられている。この撮影モード設定ダイヤル５０２は、撮影シーンに合わせたオート撮影モードや、シャッタスピード及びレンズ絞り値の各々を撮影者の意志により設定するマニュアル撮影モードなどを選択することが可能である。
【００３５】
また、メイン操作ダイヤル５０３の操作によって撮影時の動作モードに応じてシャッタスピードやレンズ絞り値を設定することが可能である。
【００３６】
５０５ａおよび５０５ｂはカメラ本体へストラップを取り付けるためのストラップ取り付け部材であり、略中央部に設けられた穴にストラップ紐がかけられるようになっている。
【００３７】
５０８はマウント部であり、着脱可能な撮影レンズユニット（不図示）をカメラ本体に固定（装着）させる。
【００３８】
レンズロック解除釦５０６を押し込むことにより撮影レンズユニットをカメラ本体から取り外すことが可能となっている。
【００３９】
また、マウント接点５０７は、カメラ本体と撮影レンズユニットとの間で制御信号、状態信号、データ信号などを介在すると共に、撮影レンズユニット側に電力を供給する機能を有する。また、マウント接点５０７は電気通信のみならず、光通信、音声通信などを可能なように構成してもよい。
【００４０】
カメラのグリップ５１３の上部側には、撮影開始の起動スイッチとしてのレリーズボタン５１０が配置されている。このレリーズボタン５１０は、第１ストロークによってＳＷ１がＯＮし、撮影準備動作（焦点調節動作および測光動作）が開始され、第２ストロークにてＳＷ２がＯＮし、撮影動作が開始される。
【００４１】
５０９はカメラ本体へ撮影画像を記録する外部メモリ（不図示）を収納するための収納口である。
【００４２】
また、図３に示すように、カメラ背面側には上方にファインダ接眼窓５２０の他、カメラの撮影前情報や設定内容、また、撮影した画像などを表示可能なカラー液晶モニタ５２９が設けられている。
【００４３】
カメラ背面側には、ＡＦフレーム選択ボタン５２２、ＡＥロックボタン５２３、撮影した画像の再生等の操作を行う再生ボタン５２６、撮影した画像の消去等の操作を行う消去ボタン５２４、撮影した画像の印刷等の操作を行うイージーダイレクトボタン５２７、露出補正設定ボタン５２８、メニュー画面の呼び出し等の操作を行うＭＥＮＵボタン５３０、液晶表示装置５２９の表示／非表示の切替等の操作を行うＤＩＳＰボタン５３１の他、各種設定時に決定を行うための選択決定ボタン５２５が配置されている。
【００４４】
また、カメラ背面から見て上部右側には、撮影者が撮影時のＩＳＯ感度設定を選択可能なモードへ移行するためのＩＳＯ感度設定ボタン５２１が設けられている。
【００４５】
グリップ側とは反対側の側面には、外部インタフェースとしてビデオ信号出力用ジャック８４１とリモート操作用ジャック８４２およびＵＳＢ出力用コネクタ８０１が納められている。（図６参照）
図４、５、６、７はカメラの内部構成を示す斜視図である。図４、５はカメラ前面側および背面側から見た斜視図である。また図６、７はカメラ前面および背面から見た分解斜視図である。
【００４６】
カメラ本体の骨格となるメインシャーシ３００の被写体側には、被写体側から順に、マウント部５０８、ミラーボックス５１１、シャッタユニット３２が配設される。ミラーボックス上部にはファインダーユニット６００が配設される。
【００４７】
ファインダーユニット６００は、ペンタダハミラー２２を含み、撮影者に被写体像を提供する。
【００４８】
メインシャーシ３００の撮影者側には撮像ユニット４００、第１のデジタル基板８００、インターフェース基板８４０が配設されている。撮像ユニット４００は、撮影レンズユニットが取り付けられる基準となるマウント部５０８の取り付け面に撮像素子３３の撮像面が所定の距離を空けてかつ平行になるように調整されて固定される。また撮像ユニット４００の背面にはＡ／Ｄ変換基板８３０が配設されている。Ａ／Ｄ変換基板８３０にはＡ／Ｄ変換器３６などが配設されており、撮像素子３３からのアナログ信号をデジタル信号に変換する。
【００４９】
カメラ前面からみて、ミラーボックスの右側にはシャッタユニット３２の一部である、駆動部３２ａが配設され、左側のグリップ部内には電池収納部７００が配設される。
【００５０】
駆動部３２ａはシャッタユニット３２の駆動、ミラー５１２およびサブミラー３０の駆動、ストロボユニット５０４の駆動を行う。
【００５１】
電池収納部７００の被写体側には電源基板８１０が、撮影者側には第２のデジタル基板８２０が配設されている。メインシャーシ３００はクランク状の折り曲げ部３００ａを有しており、折り曲げ部３００ａ付近でメインシャーシ３００に電池収納部７００が取り付けられている。
【００５２】
電源基板８１０上には、電池端子８１２、電源供給回路１１０、ストロボ駆動回路１１３が配設されている。このように電池端子８１２、電源供給回路１１０、ストロボ駆動回路１１３が同一基板上に配設されていることで、配線長を短く抑える事が可能であり、電力の損失を抑える事が可能である。また、電源基板８１０にはストロボ駆動回路の一部であるメインコンデンサ８１１が、ミラーボックス５１１と電池収納部７００の間に位置するように配設されている。
【００５３】
第２のデジタル基板８２０には外部メモリ３９を利用するためのスロットや圧電素子駆動回路１１１が配設されている。
【００５４】
第１のデジタル基板８００は略Ｌ字形状であり、マイクロコンピュータ１００や映像信号処理回路１０４などが配設されている。また、グリップと反対側の端部にはＵＳＢコネクタ８０１が配設されており、同一基板上にあるマイクロコンピュータ１００との間で高速な通信が可能となっている。
【００５５】
インターフェース基板８４０には、ビデオ信号出力用ジャック８４１とリモート操作用ジャック８４２が配設されている。
【００５６】
次に、カメラ本体１の剛性を司る内部構造体の構成について図８Ａ、図８Ｂを用いて説明する。図８Ａはカメラ本体を正面側から見た図、図８Ｂはカメラ本体を背面側から見た図である。
【００５７】
メインシャーシ３００はカメラ本体の１の剛性を確保するための薄い鋼板で、カメラ本体内部の中央に配置されたミラーボックス５１１裏及びグリップの無い側を覆っている。ミラーボックス５１１はメインシャーシ３００の中央部に取り付けられる。また、ミラーボックス５１１の先端に取り付けられたマウント部５０８には不図示の着脱式のレンズが取り付けられる。
【００５８】
電池収納部７００はメインシャーシ３００に締結され、メインシャーシ３００と共に、カメラ本体１の剛性の確保の役割を担う。外装に形成されたグリップ部５１３は、電池収納部に対し７０１、７０２及び不図示のカメラ底面部の３箇所で締結されている。
【００５９】
メインシャーシ３００と電池収納部７００は、それぞれ端部で締結されており、締結部はミラーボックス５１１と電池収納部７００の間に位置する。また締結部付近ではメインシャーシ３００にクランク状の曲げ部３００ａがある。
【００６０】
カメラ本体１はレンズ鏡筒とグリップ部５１３を保持し、グリップ部５１３に前後のねじりを加えた場合においても、ストレスのかかるメインシャーシ３００のミラーボックス５１１と電池収納部７００の間の部分には、クランク状の曲げ部３００ａがあるため、ねじりによる変形に強い構成になっている。
【００６１】
また、メインシャーシ３００と電池収納部７００の締結部は、メインシャーシ３００の折り曲げ部前後のミラーボックス５１１側の締結部７０３、７０４と、電池収納部側の締結部７０５、７０６がある。
【００６２】
カメラ本体１はメインシャーシ３００と電池収納部７００の締結部をクランク状の折り曲げ部３００ａの前後に分けた構成にしている。それにより、グリップ部５１３をレンズ鏡筒方向に折り曲げた場合にも、ストレスのかかる締結部の間にメインシャーシ３００の曲げ部があるため、折り曲げによる変形に強い構成になっている。
【００６３】
メインシャーシ３００のクランク状曲げ部３００ａには三角ビード３００ｂが形成されており、カメラ本体１の筐体剛性を高める構成になっている。
【００６４】
以下に、メインシャーシ３００の曲げ部３００ａの構成について詳細に説明する。
【００６５】
図９Ａは、メインシャーシ３００の曲げ部３００ａをカメラ本体１の光軸方向に切断したときの概略拡大断面図である。図９Ａに示されるように、本実施例におけるメインシャーシ３００の曲げ部３００ａは、カメラ本体１の光軸に直交する第１の面３０１ａと、第１の面３０１ａから光軸方向に折り曲げられた屈曲部３０３ａと、光軸と直交する方向に折り曲げられた屈曲部３０４ａと、第１の面３０１ａと平行な第２の面３０２ａにより構成される。このように、曲げ部３００ａは、屈曲部が２つ（３０３ａ、３０４ａ）と、互いに異なる第１の面３０１ａ及び第２の面３０２ａを有する構成をしている。
【００６６】
本実施例では、メインシャーシ３００に曲げ部３００ａを設けることにより、グリップ部のねじり及び折り曲げに強いカメラ本体１を提供することができる。
【００６７】
しかし、本発明のメインシャーシ３００の曲げ部はこれに限定されず、例えば、図９Ｂにあるような曲げ部３１０ａ又は３２０ａであってもよい。ここで、図９Ｂは、本発明の他の実施例におけるメインシャーシ３００の曲げ部３１０ａ又は３２０ａをカメラ本体１の光軸方向に切断したときの概略拡大断面図である。図９Ｂから見て分かるように、曲げ部３１０ａの構成は、複数の屈曲部（３１２ａ乃至３１５ａ）と、同一平面上にある第１の面３１１ａ及び第２の面３１２ａからなる。また、破線で示される曲げ部３２０ａのように、第１の面３１１ａと、複数の屈曲部（３１２ａ乃至３１４ａ及び３２１ａ）と、第１の面３１１ａと平行な第２の面３２２ａを有する構成であってもよい。
【００６８】
本発明は、このようなメインシャーシ３００に曲げ部３１０ａ又は３２０ａを設けた場合においても、グリップ部のねじり及び折り曲げに強いカメラ本体１を提供することができる。
【図面の簡単な説明】
【００６９】
【図１】本発明の実施の形態に係るデジタル一眼レフカメラの電気的構成を示すブロック図である。
【図２】本発明の実施の形態に係るデジタル一眼レフカメラの正面側斜視図である。
【図３】本発明の実施の形態に係るデジタル一眼レフカメラの背面側斜視図である。
【図４】本発明の実施の形態に係るデジタル一眼レフカメラの外装を取った状態の、正面側斜視図である。
【図５】本発明の実施の形態に係るデジタル一眼レフカメラの外装を取った状態の、背面側斜視図である。
【図６】本発明の実施の形態に係るデジタル一眼レフカメラの正面側分解斜視図である。
【図７】本発明の実施の形態に係るデジタル一眼レフカメラの背面側分解斜視図である。
【図８Ａ】本発明の実施の形態に係るデジタル一眼レフカメラの内部構造部材を示す斜視図である。
【図８Ｂ】本発明の実施の形態に係るデジタル一眼レフカメラの内部構造部材を示す斜視図である。
【図９Ａ】本発明の実施の形態に係るメインシャーシ３００の曲げ部３００ａを光軸方向に切断した時の概略拡大断面図である。
【図９Ｂ】本発明の他の実施の形態に係るメインシャーシ３００の曲げ部３１０ａ又は３２０ａを光軸方向に切断した時の概略拡大断面図である。
【図１０】従来のメインシャーシを小型化したデジタル一眼レフカメラの内部構造図を示す斜視図である。
【符号の説明】
【００７０】
１：カメラ本体
１００：ＭＰＵ
３００：メインシャーシ
３００ａ：クランク状折り曲げ部
３００ｂ：三角ビード
５１１：ミラーボックス
５１３：グリップ部
【図１】
2009175311.tif 000003
【図２】
2009175311.tif 000004
【図３】
2009175311.tif 000005
【図４】
2009175311.tif 000006
【図５】
2009175311.tif 000007
【図６】
2009175311.tif 000008
【図７】
2009175311.tif 000009
【図８Ａ】
2009175311.tif 000010
【図８Ｂ】
2009175311.tif 000011
【図９Ａ】
2009175311.tif 000012
【図９Ｂ】
2009175311.tif 000013
【図１０】
2009175311.tif 000014